(57)【要約】【課題】停電を想定した場合の太陽追尾型の太陽光発電装置における強風対策を、より確実性の高いものとする。【解決手段】商用電力系統と系統連系され、太陽を追尾して発電する太陽光発電装置の制御方法であって、商用電力系統の電力によりアレイに太陽を追尾させつつ、商用電力系統の停電の有無を監視し、停電を検知した場合は、バックアップ用のバックアップ電源の電力によりアレイに太陽を追尾させつつ、所定時間が経過するまでは、アレイを退避姿勢にする場合に必要となる電力量をバックアップ電源に温存した状態とする、太陽光発電装置の制御方法である。【選択図】図７
2020188523.tif 000002
【特許請求の範囲】
【請求項１】
商用電力系統と系統連系され、太陽を追尾して発電する太陽光発電装置の制御方法であって、
前記商用電力系統の電力によりアレイに太陽を追尾させつつ、前記商用電力系統の停電の有無を監視し、
前記停電を検知した場合、所定時間が経過するまでは、バックアップ用のバックアップ電源の電力により前記アレイに太陽を追尾させつつ、少なくとも前記アレイを退避姿勢にする場合に必要となる電力量を前記バックアップ電源に温存した状態とする、
太陽光発電装置の制御方法。
【請求項２】
太陽の追尾中に前記商用電力系統が停電した場合、前記所定時間、前記バックアップ電源の電力により前記アレイに太陽を追尾させ、
前記所定時間内に復電した場合は、前記商用電力系統の電力により前記アレイに太陽を追尾させる通常の状態に戻し、
前記所定時間内に復電しない場合は、その後、前記アレイに退避の姿勢をとらせ、
復電時には最初に前記バックアップ電源の充電を完了させてから、前記商用電力系統の電力により前記アレイに太陽を追尾させる通常の状態に戻す、
請求項１に記載の太陽光発電装置の制御方法。
【請求項３】
過去の平均的な停電頻度が多いほど前記所定時間を短く設定し、逆に、当該停電頻度が少ないほど前記所定時間を長く設定する、請求項１又は請求項２に記載の太陽光発電装置の制御方法。
【請求項４】
商用電力系統と系統連系され、太陽を追尾して発電する太陽光発電装置であって、
設置面に固定された支柱と、
前記支柱に取り付けられた駆動部と、
前記駆動部を介して前記支柱に支持され、太陽を追尾するアレイと、
前記商用電力系統に接続されたバックアップ電源と、
前記商用電力系統の電力、又は、停電時には前記バックアップ電源の電力により、前記駆動部を駆動して前記アレイに太陽を追尾させる制御部と、を備え、
前記制御部は、太陽の追尾中に前記商用電力系統が停電した場合、所定時間が経過するまでは、少なくとも前記アレイを退避姿勢にする場合に必要となる電力量を前記バックアップ電源に温存した状態とする、太陽光発電装置。
【発明の詳細な説明】
【技術分野】
【０００１】
本開示は、太陽光発電装置の制御方法、及び、太陽光発電装置に関する。
【背景技術】
【０００２】
例えば集光型太陽光発電装置は、太陽光を集光してセルに入射させる基本ユニットの集合体であるモジュールが多数並んだアレイ（パネル）を有する。アレイは、追尾架台によって方位角及び仰角の２軸に駆動され、太陽を追尾して発電する（例えば、特許文献１参照。）。このような集光型太陽光発電装置が広大な敷地内に多数設置され、太陽光発電所を構成する。このような太陽光発電所は商用電力系統と系統連系しており、商用電力系統に電力を供給する。
【０００３】
アレイは、その平板状の構造上、風圧を受けやすい。強風により大きな風荷重を受けると、アレイ、２軸駆動部、及び、支柱は、大きな機械的負荷に耐えなければならない。強風にも耐え得る強度を持たせることは技術的には可能であるが、コストとの兼ね合いも考えた現実的な設計が求められる。そこで、強風時にはアレイを水平にして風の影響を受けにくい退避姿勢をとり、風が治まれば元の追尾姿勢に戻す、という制御が行われる（例えば、特許文献２参照。）。このような制御は、常に行い得る状態にしておかなければならない。
【先行技術文献】
【特許文献】
【０００４】
【特許文献１】特開２０１４−２２６０２５号公報
【特許文献２】特開２０１４−２０３９１１号公報
【発明の概要】
【発明が解決しようとする課題】
【０００５】
電力事情は国によって異なる。例えば、いわゆる先進国では電力の安定供給が確立されており、停電することは年間を通じてまれである。また、もし停電したとしても復帰が迅速に行われ、停電時間が短い。これに対して、安定した電力供給が実現されていない国では、停電の回数が多く、停電時間も長くなる場合がある。アレイを２軸に駆動するためのモータの電力は、一般に、商用電力系統から得る。そのため、商用電力系統が停電するとアレイを動かすことができない。そこで、バックアップ用のバッテリが設けられる。
【０００６】
商用電力系統に停電が発生した場合は、停電中に強風が吹くことに備えて安全のため、バッテリによってアレイを駆動し、水平な退避姿勢にする。復電後は、アレイが太陽追尾の姿勢に戻され、発電が再開される。
しかしながら、ここで、再び停電が発生すると、退避姿勢をとるために電力を使用したことによりバッテリの残量が少なくなっていて、再度の退避動作ができない、という事態が発生することがある。もし、そのとき、強風が吹くと、太陽光発電装置は風圧による損害を被る可能性がある。
【０００７】
かかる課題に鑑み、本開示は、停電を想定した場合の太陽追尾型の太陽光発電装置における強風対策を、より確実性の高いものとすることを目的とする。
【課題を解決するための手段】
【０００８】
本開示は、以下の発明を含む。但し、本発明は特許請求の範囲によって定められるものである。
【０００９】
開示するのは、商用電力系統と系統連系され、太陽を追尾して発電する太陽光発電装置の制御方法であって、
前記商用電力系統の電力によりアレイに太陽を追尾させつつ、前記商用電力系統の停電の有無を監視し、
前記停電を検知した場合、所定時間が経過するまでは、バックアップ用のバックアップ電源の電力により前記アレイに太陽を追尾させつつ、少なくとも前記アレイを退避姿勢にする場合に必要となる電力量を前記バックアップ電源に温存した状態とする、
太陽光発電装置の制御方法である。
【００１０】
装置としては、商用電力系統と系統連系され、太陽を追尾して発電する太陽光発電装置であって、
設置面に固定された支柱と、
前記支柱に取り付けられた駆動部と、
前記駆動部を介して前記支柱に支持され、太陽を追尾するアレイと、
前記商用電力系統に接続されたバックアップ電源と、
前記商用電力系統の電力、又は、停電時には前記バックアップ電源の電力により、前記駆動部を駆動して前記アレイに太陽を追尾させる制御部と、を備え、
前記制御部は、太陽の追尾中に前記商用電力系統が停電した場合、所定時間が経過するまでは、少なくとも前記アレイを退避姿勢にする場合に必要となる電力量を前記バックアップ電源に温存した状態とする、太陽光発電装置である。
【発明の効果】
【００１１】
本開示によれば、停電を想定した場合の太陽追尾型の太陽光発電装置における強風対策を、より確実性の高いものとすることができる。
【図面の簡単な説明】
【００１２】
【図１】図１は、１基分の、集光型の太陽光発電装置の一例を、受光面側から見た斜視図であり、完成した状態での太陽光発電装置を示している。
【図２】図２は、１基分の、集光型の太陽光発電装置の一例を、受光面側から見た斜視図であり、追尾架台の骨組みが見える状態を右半分に示し、集光型太陽光発電モジュールが取り付けられた状態を左半分に示している。
【図３】図３は、一例として、太陽に正対しているアレイの姿勢を示す斜視図である。
【図４】図４は、強風時のアレイの退避姿勢の一例を示す斜視図である。
【図５】図５は、アレイに太陽の追尾動作をさせるための、太陽光発電装置の電気回路の構成の一例を示す回路ブロック図である。
【図６】図６は、仕向地Ａ用の、制御方法を示すフローチャートである。
【図７】図７は、仕向地Ｂ用の、制御方法を示すフローチャートである。
【発明を実施するための形態】
【００１３】
［本開示の実施形態の説明］
本開示の実施形態には、その要旨として、少なくとも以下のものが含まれる。
【００１４】
（１）これは、商用電力系統と系統連系され、太陽を追尾して発電する太陽光発電装置の制御方法であって、前記商用電力系統の電力によりアレイに太陽を追尾させつつ、前記商用電力系統の停電の有無を監視し、前記停電を検知した場合、所定時間が経過するまでは、バックアップ用のバックアップ電源の電力により前記アレイに太陽を追尾させつつ、少なくとも前記アレイを退避姿勢にする場合に必要となる電力量を前記バックアップ電源に温存した状態とする、
太陽光発電装置の制御方法である。
【００１５】
上記のような、太陽光発電装置の制御方法によれば、太陽の追尾中に商用電力系統が停電した場合にも追尾を続けることで、復電時にとるべき追尾の姿勢に近づけておくことができる。従って、迅速に復電した場合には復電時の発電電力の立ち上がりが早い。特に、集光型の太陽光発電装置では追尾が大きくずれた状態では発電できないので、この意義は大きい。また、所定時間が経過するまでは、少なくともアレイを退避姿勢にするために必要な電力量がバックアップ電源に温存されているので、停電中であっても退避姿勢をとることができる。従って、停電を想定した場合の太陽追尾型の太陽光発電装置における強風対策を、より確実性の高いものとすることができる。
【００１６】
（２）前記（１）の太陽光発電装置の制御方法において、例えば、太陽の追尾中に前記商用電力系統が停電した場合、前記所定時間、前記バックアップ電源の電力により前記アレイに太陽を追尾させ、前記所定時間内に復電した場合は、前記商用電力系統の電力により前記アレイに太陽を追尾させる通常の状態に戻し、前記所定時間内に復電しない場合は、その後、前記アレイに退避の姿勢をとらせ、復電時には最初に前記バックアップ電源の充電を完了させてから、前記商用電力系統の電力により前記アレイに太陽を追尾させる通常の状態に戻すようにしてもよい。
このような制御方法によれば、太陽の追尾中に商用電力系統が停電した場合にも追尾を続けることで、復電時にとるべき追尾の姿勢に近づけておくことができる。また、所定時間が経過するまでは、アレイを退避姿勢にするために必要な電力量がバックアップ電源に温存されているので、停電中でも、強風に備えて退避姿勢をとることができる。また、復電時には最初にバックアップ電源の充電を完了させるので、復電後に再び停電が発生しても、退避のための電力をバックアップ電源に確保することができる。
【００１７】
（３）前記（１）又は（２）の太陽光発電装置の制御方法において、過去の平均的な停電頻度が多いほど前記所定時間を短く設定し、逆に、当該停電頻度が少ないほど前記所定時間を長く設定するようにしてもよい。
この場合、太陽光発電装置が設置された場所（又は国）の電力事情に合わせて、停電時に、バックアップ電源に温存すべき電力量を適切に定めることができる。
【００１８】
（４）一方、これは、商用電力系統と系統連系され、太陽を追尾して発電する太陽光発電装置であって、設置面に固定された支柱と、前記支柱に取り付けられた駆動部と、前記駆動部を介して前記支柱に支持され、太陽を追尾するアレイと、前記商用電力系統に接続されたバックアップ電源と、前記商用電力系統の電力、又は、停電時には前記バックアップ電源の電力により、前記駆動部を駆動して前記アレイに太陽を追尾させる制御部と、を備え、前記制御部は、太陽の追尾中に前記商用電力系統が停電した場合、所定時間が経過するまでは、少なくとも前記アレイを退避姿勢にする場合に必要となる電力量を前記バックアップ電源に温存した状態とする、太陽光発電装置である。
【００１９】
上記のような太陽光発電装置においては、太陽の追尾中に商用電力系統が停電した場合にも追尾を続けることで、復電時にとるべき追尾の姿勢に近づけておくことができる。従って、迅速に復電した場合には復電時の発電電力の立ち上がりが早い。特に、集光型の太陽光発電装置では追尾が大きくずれた状態では発電できないので、この意義は大きい。また、所定時間が経過するまでは、少なくともアレイを退避姿勢にするために必要な電力量がバックアップ電源に温存されているので、停電中であっても退避姿勢をとることができる。従って、停電を想定した場合の太陽追尾型の太陽光発電装置における強風対策を、より確実性の高いものとすることができる。
【００２０】
［本開示の実施形態の詳細］
《太陽光発電装置の外観》
以下、本開示の太陽光発電装置の具体例について、図面を参照して説明する。
図１及び図２はそれぞれ、１基分の、集光型の太陽光発電装置の一例を、受光面側から見た斜視図である。図１は、完成した状態での太陽光発電装置１００を示し、図２は、追尾架台２５の骨組みが見える状態を右半分に示し、集光型太陽光発電モジュール（以下、単にモジュールとも言う。）１Ｍが取り付けられた状態を左半分に示している。なお、実際にモジュール１Ｍを追尾架台２５に取り付ける際は、追尾架台２５を地面に寝かせた状態で取り付けを行う。
【００２１】
図１において、この太陽光発電装置１００は、上部側で連続し、下部側で左右に分かれた全体として面状のアレイ（太陽光発電パネル）１と、その支持機構２とを備えている。アレイ１は、背面側の追尾架台２５（図２）上にモジュール１Ｍを整列させて構成されている。図１の例では、左右のウイングを構成する（９６（＝１２×８）×２）個と、中央の渡り部分の８個との、合計２００個のモジュール１Ｍの集合体として、アレイ１が構成されている。モジュール１Ｍ内には、太陽光を集光させて発電素子に導く光学系がマトリックス状に並んで設けられた既知の構成が搭載されている。
【００２２】
支持機構２は、支柱２１と、基礎２２と、駆動部２３と、駆動軸となる水平軸２４（図２）と、追尾架台２５とを備えている。支柱２１は、下端が基礎２２に固定され、上端に駆動部２３を備えている。なお、モジュール１Ｍの集合体に、水平軸２４及び追尾架台２５も含めた全体を「アレイ」と考えてもよい。
【００２３】
図１において、基礎２２は、上面のみが見える程度に地中に堅固に埋設される。基礎２２を地中に埋設した状態で、支柱２１は鉛直となり、水平軸２４（図２）は水平となる。駆動部２３は、水平軸２４を、方位角（支柱２１を中心軸とした角度）及び仰角（水平軸２４を中心軸とした角度）の２方向に回動させることができる。図２において、水平軸２４には、追尾架台２５を補強する補強材２５ａが取り付けられている。また、補強材２５ａには、複数本の水平方向へのレール２５ｂが取り付けられている。モジュール１Ｍは、このレールに嵌め込むように取り付けられる。水平軸２４が方位角又は仰角の方向に回動すれば、アレイ１もその方向に回動する。
【００２４】
図１のようにアレイ１が鉛直になっているのは、通常、夜明け及び日没前である。
日中は、アレイ１の受光面が常に太陽に正対する姿勢となるよう、駆動部２３が動作し、アレイ１は太陽の追尾動作を行う。
【００２５】
図３は、一例として、太陽に正対しているアレイ１の姿勢を示す斜視図である。
図４は、強風時のアレイ１の退避姿勢の一例を示す斜視図である。この場合、アレイ１の受光面は水平で上向きである。
なお、夜間待機姿勢におけるアレイ１は、図４の逆、すなわち、アレイ１の受光面を地面に向けて水平な姿勢となる。
【００２６】
《電気回路の構成例》
図５は、アレイ１に太陽の追尾動作をさせるための、太陽光発電装置１００の電気回路の構成の一例を示す回路ブロック図である。図において、アレイ１は、前述のように、駆動部２３により方位角及び仰角に駆動される。アレイ１は、電力変換装置３１を介して、商用電力系統３２と接続されている。電力変換装置３１は、商用電力系統３２と系統連系しており、アレイ１の発電電力を商用電力系統３２へ送電する。なお、電力変換装置３１は、太陽光発電装置１００の一部として存在していてもよい。
【００２７】
制御部３３は、直達日射計等による追尾センサ３４からの検出信号に基づいて、駆動部２３を駆動し、アレイ１に太陽の追尾を行わせる。制御部３３は、例えばコンピュータを含み、コンピュータがソフトウェア（コンピュータプログラム）を実行することで、必要な制御機能を実現する。ソフトウェアは、制御部３３の記憶装置（図示せず。）に格納される。なお、図示していないが、制御部３３は、風速センサからの風速の情報や、外部からの情報も受け取ることができる。
【００２８】
追尾のために駆動部２３を動作させる電力は、通常は、商用電力系統３２から制御部３３を介して与えられている。バッテリ３５ｂを内蔵するバックアップ電源３５は、商用電力系統３２と接続され、通常は、バッテリ３５ｂが満充電の状態まで充電されている。バックアップ電源３５は、交流電力を直流電力に変換してバッテリ３５ｂを充電する機能、バッテリ３５ｂの放電による直流電力を交流電力に変換して出力する機能、及び、バッテリ３５ｂの充電状態（残量）を検出して外部に提供できる機能を有する。
【００２９】
制御部３３は、商用電力系統３２に停電が発生すると、停電を検知してその停電検知信号をバックアップ電源３５に送る。これを受けて、バックアップ電源３５は、商用電力系統３２に代わって、駆動部２３を駆動する電力を制御部３３に供給することができる。また、制御部３３は、バックアップ電源３５に対し、出力停止すなわち、バッテリ３５ｂの放電停止信号を送ることができる。逆に、バックアップ電源３５からは、商用電力系統３２からバッテリ３５ｂを充電する時、満充電になると、充電完了信号を制御部３３に送る。
【００３０】
《太陽光発電装置の制御方法》
次に、商用電力系統の停電時の、太陽光発電装置の制御方法、特に、アレイ１の駆動に関する制御方法について説明する。制御方法は、太陽光発電装置１００の設置場所（仕向地、主として国。）により異なる。仮に、例えば仕向地Ａ及び仕向地Ｂに分類すると、以下の通りである。
【００３１】
「仕向地Ａ」：停電頻度が少ない。停電が発生しても、電力会社の管理下で、瞬時停電のレベルで復電することが多い。瞬時停電より長い停電になっても、比較的短時間で復電する。
「仕向地Ｂ」：停電頻度が多い。停電が発生すると、瞬時停電のレベルで復電することはほとんどない。瞬時停電より長い停電になると、復電に長い時間がかかる。
なお、停電頻度の「少ない」、「多い」の判断基準となる閾値、及び、復電までの時間の「長い」、「短い」の判断基準となる閾値は、それぞれ実情に応じて適宜定めることができる。
【００３２】
（仕向地Ａ）
図６は、仕向地Ａ用の、制御方法を示すフローチャートである。フローチャートの実行主体は制御部３３（図５）である。制御部３３は、追尾の開始によりこのフローチャートの処理も開始する。まず、ステップＳａ０において、制御部３３は、停電を検知したか否かを判定する。ここで、停電を検知したとすると、制御部３３は、経過時間をカウントする（ステップＳａ１）。次に、制御部３３は、１０秒経過したか否かを判定する（ステップＳａ２）。経過していない間は、停電が継続している限り、ステップＳａ０，Ｓａ１，Ｓａ２を繰り返す。１０秒経過しないうちに復電した場合は、制御部３３は、経過時間をリセットしつつ（ステップＳａ８）商用電力系統３２からの充電によりバッテリ３５ｂの充電が完了するのを待ち（ステップＳａ０，Ｓａ８，Ｓａ９の繰り返し）、充電が完了すると、通常の、太陽の追尾に戻る（ステップＳａ１０）。
【００３３】
一方、復電しないまま１０秒経過した場合は、制御部３３は、１分経過したか否かを判定する（ステップＳａ３）。経過していない間は、停電が継続している限り、ステップＳａ０，Ｓａ１，Ｓａ２，Ｓａ３を繰り返す。１分経過しないうちに復電した場合は、制御部３３は、経過時間をリセットしつつ（ステップＳａ８）商用電力系統３２からの充電によりバッテリ３５ｂの充電が完了するのを待ち（ステップＳａ０，Ｓａ８，Ｓａ９の繰り返し）、充電が完了すると、通常の、太陽の追尾に戻る（ステップＳａ１０）。
【００３４】
さらに、復電しないまま１分経過した場合は、制御部３３は、３０分経過したか否かを判定する（ステップＳａ４）。経過していない間は、停電が継続している限り、ステップＳａ０，Ｓａ１，Ｓａ２，Ｓａ３，Ｓａ４を繰り返す。３０分経過しないうちに復電した場合は、制御部３３は、経過時間をリセットしつつ（ステップＳａ８）商用電力系統３２からの充電によりバッテリ３５ｂの充電が完了するのを待ち（ステップＳａ０，Ｓａ８，Ｓａ９の繰り返し）、充電が完了すると、通常の、太陽の追尾に戻る（ステップＳａ１０）。
【００３５】
復電しないまま３０分経過した場合、ここで制御部３３は、追尾を停止し（ステップＳａ５）、バックアップ電源３５に放電停止信号を送る。これにより、以後、追尾によるバッテリ３５ｂの放電は抑制される。このとき、バッテリ３５ｂには、少なくとも、退避姿勢をとるために必要な電力量が温存されている。逆に言えば、そうなるように、３０分で放電を止めさせる、ということである。
【００３６】
その後さらに、制御部３３は、６０分経過したか否かを判定する（ステップＳａ６）。経過していない間は、停電が継続している限り、ステップＳａ０，Ｓａ１，Ｓａ２，Ｓａ３，Ｓａ４，Ｓａ５，Ｓａ６を繰り返す。６０分経過しないうちに復電した場合は、制御部３３は、経過時間をリセットしつつ（ステップＳａ８）商用電力系統３２からの充電によりバッテリ３５ｂの充電が完了するのを待ち（ステップＳａ０，Ｓａ８，Ｓａ９の繰り返し）、充電が完了すると、通常の、太陽の追尾に戻る（ステップＳａ１０）。
【００３７】
復電しないまま６０分経過した場合、制御部３３は、バックアップ電源３５に温存されている電力量を用いて、アレイ１を強制的に退避姿勢にする（ステップＳａ７）。従って、６０分を超える長い停電が発生した場合は、退避姿勢となって復電を待つことになる。もし、この間に強風が吹いたとしても、退避姿勢をとっていることにより、強風により損傷を受けることは抑制される。
【００３８】
(仕向地Ｂ)
図７は、仕向地Ｂ用の、制御方法を示すフローチャートである。フローチャートの実行主体は制御部３３（図５）である。制御部３３は、追尾の開始によりこのフローチャートの処理も開始する。まず、ステップＳｂ０において、制御部３３は、停電を検知したか否かを判定する。ここで、停電を検知したとすると、制御部３３は、経過時間をカウントする（ステップＳｂ１）。次に、制御部３３は、１０秒経過したか否かを判定する（ステップＳｂ２）。経過していない間は、停電が継続している限り、ステップＳｂ０，Ｓｂ１，Ｓｂ２を繰り返す。１０秒経過しないうちに復電した場合は、制御部３３は、経過時間をリセットしつつ（ステップＳｂ８）商用電力系統３２からの充電によりバッテリ３５ｂの充電が完了するのを待ち（ステップＳｂ０，Ｓｂ８，Ｓｂ９の繰り返し）、充電が完了すると、通常の、太陽の追尾に戻る（ステップＳｂ１０）。
【００３９】
一方、復電しないまま１０秒経過した場合は、制御部３３は、１分経過したか否かを判定する（ステップＳｂ３）。経過していない間は、停電が継続している限り、ステップＳｂ０，Ｓｂ１，Ｓｂ２，Ｓｂ３を繰り返す。１分経過しないうちに復電した場合は、制御部３３は、経過時間をリセットしつつ（ステップＳｂ８）商用電力系統３２からの充電によりバッテリ３５ｂの充電が完了するのを待ち（ステップＳｂ０，Ｓｂ８，Ｓｂ９の繰り返し）、充電が完了すると、通常の、太陽の追尾に戻る（ステップＳｂ１０）。
【００４０】
さらに、復電しないまま１分経過した場合は、制御部３３は、５分経過したか否かを判定する（ステップＳｂ４）。経過していない間は、停電が継続している限り、ステップＳｂ０，Ｓｂ１，Ｓｂ２，Ｓｂ３，Ｓｂ４を繰り返す。５分経過しないうちに復電した場合は、制御部３３は、経過時間をリセットしつつ（ステップＳｂ８）商用電力系統３２からの充電によりバッテリ３５ｂの充電が完了するのを待ち（ステップＳｂ０，Ｓｂ８，Ｓｂ９の繰り返し）、充電が完了すると、通常の、太陽の追尾に戻る（ステップＳｂ１０）。
【００４１】
復電しないまま５分経過した場合、ここで制御部３３は、追尾を停止し（ステップＳｂ５）、バックアップ電源３５に放電停止信号を送る。これにより、以後、追尾によるバッテリ３５ｂの放電は抑制される。このとき、バッテリ３５ｂには、少なくとも、退避姿勢をとるために必要な電力量が温存されている。逆に言えば、これ以降に起きる再度の停電の可能性にも備えてバッテリ３５ｂに十分な残量を確保すべく、早めの５分で放電を止めさせる、ということである。
【００４２】
その後さらに、制御部３３は、１５分経過したか否かを判定する（ステップＳｂ６）。経過していない間は、停電が継続している限り、ステップＳｂ０，Ｓｂ１，Ｓｂ２，Ｓｂ３，Ｓｂ４，Ｓｂ５，Ｓｂ６を繰り返す。１５分経過しないうちに復電した場合は、制御部３３は、経過時間をリセットしつつ（ステップＳｂ８）商用電力系統３２からの充電によりバッテリ３５ｂの充電が完了するのを待ち（ステップＳｂ０，Ｓｂ８，Ｓｂ９の繰り返し）、充電が完了すると、通常の、太陽の追尾に戻る（ステップＳｂ１０）。
【００４３】
復電しないまま１５分経過した場合、制御部３３は、バックアップ電源３５に温存されている電力量を用いて、アレイ１を強制的に退避姿勢にする（ステップＳｂ７）。従って、１５分を超える長い停電が発生した場合は、退避姿勢となって復電を待つことになる。もし、この間に強風が吹いたとしても、退避姿勢をとっていることにより、強風により損傷を受けることは抑制される。
【００４４】
《開示のまとめ》
基本的には、上記の制御方法は、商用電力系統３２と系統連系され、太陽を追尾して発電する太陽光発電装置１００の制御方法であって、（ａ）商用電力系統３２の電力によりアレイ１に太陽を追尾させつつ、商用電力系統３２の停電の有無を監視し、（ｂ）停電を検知した場合、所定時間が経過するまでは、バックアップ電源３５の電力によりアレイ１に太陽を追尾させつつ、少なくともアレイ１を退避姿勢にする場合に必要となる電力量をバックアップ電源３５に温存した状態とする制御方法である。この制御を行うことについては、太陽光発電装置１００としても同様である。
【００４５】
上記のような制御により、太陽の追尾中に商用電力系統３２が停電した場合にも追尾を続けることで、復電時にとるべき追尾の姿勢に近づけておくことができる。従って、迅速に復電した場合には復電時の発電電力の立ち上がりが早い。特に、集光型の太陽光発電装置１００では追尾が大きくずれた状態では発電できないので、この意義は大きい。また、所定時間が経過するまでは、少なくともアレイ１を退避姿勢にするために必要な電力量がバックアップ電源３５に温存されているので、停電中であっても退避姿勢をとることができる。従って、停電を想定した場合の太陽追尾型の太陽光発電装置１００における強風対策を、より確実性の高いものとすることができる。
【００４６】
より具体的には、（ｉ）太陽の追尾中に商用電力系統３２が停電した場合、所定時間、バックアップ電源３５の電力によりアレイ１に太陽を追尾させ、（ｉｉ）所定時間内に復電した場合は、商用電力系統３２の電力によりアレイ１に太陽を追尾させる通常の状態に戻し、（ｉｉｉ）所定時間内に復電しない場合は、その後、アレイ１に退避の姿勢をとらせ、（ｉｖ）復電時には最初にバックアップ電源の充電を完了させてから、商用電力系統３２の電力によりアレイ１に太陽を追尾させる通常の状態に戻す、という工程を実行する。
【００４７】
これにより、太陽の追尾中に商用電力系統３２が停電した場合、アレイ１を退避姿勢にするために必要な電力量がバックアップ電源３５に温存されているので、停電中でも、強風に備えて退避姿勢をとることができる。また、復電時には最初にバックアップ電源３５の充電を完了させるので、復電後に再び停電が発生しても、退避のための電力をバックアップ電源３５に確保することができる。
【００４８】
上記の所定時間は、例えば過去の平均的な停電時間に基づいて定めることができる。電力事情は徐々に改善されていく場合もあるので、過去の平均的な停電時間を固定値とせずに制御部３３が学習して更新するようにしてもよい。
【００４９】
一般には、前述の仕向地Ａ，仕向地Ｂとして例示したように、過去の平均的な停電頻度が多いほど所定時間を短く設定し、逆に、停電頻度が少ないほど所定時間を長く設定するのが１つの対処法である。停電頻度が多いと、バックアップ電源３５は放電しやすく、しかも、充電が十分でないうちにまた停電する、というような事態が生じやすい。従って、所定時間を短く設定して放電を抑制し、その後停電が再発しても、アレイ１を退避姿勢にするために必要な電力量がバックアップ電源３５に確実に残っているようにする。
【００５０】
逆に、停電頻度が少ないと、バックアップ電源３５は放電しにくく、かつ、充電は十分に行われる可能性が高い。従って、所定時間を長めに設定して一時的に残量が少なくなっても、その後すぐに、アレイ１を退避姿勢にするために必要な電力量がバックアップ電源３５に充電されている状態とすることができる。このようにして、太陽光発電装置１００が設置された場所（又は国）の電力事情に合わせて、停電時に、バックアップ電源３５に温存すべき電力量を適切に定めることができる。
【００５１】
《その他》
なお、上記実施形態では集光型の太陽光発電装置１００について説明したが、バックアップ電源を用いた退避に関する制御は、結晶シリコンで構成された太陽追尾型の太陽光発電装置にも適用可能である。
【００５２】
《補記》
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００５３】
１  アレイ
１Ｍ  モジュール（集光型太陽光発電モジュール）
２  支持機構
２１  支柱
２２  基礎
２３  駆動部
２４  水平軸
２５  追尾架台
２５ａ  補強材
２５ｂ  レール
３１  電力変換装置
３２  商用電力系統
３３  制御部
３４  追尾センサ
３５  バックアップ電源
３５ｂ  バッテリ
１００  太陽光発電装置
【図１】
2020188523.tif 000003
【図２】
2020188523.tif 000004
【図３】
2020188523.tif 000005
【図４】
2020188523.tif 000006
【図５】
2020188523.tif 000007
【図６】
2020188523.tif 000008
【図７】
2020188523.tif 000009